(57)【特許請求の範囲】
【請求項１】
ディジタル回線のアイドル時のＢチャネルに特定のビットパターンを乗せて送出する機能を有する交換装置において、
前記ディジタル回線のアイドルチャネルからアイドルパターンを抽出する抽出手段と、
前記ディジタル回線のアイドル時のＢチャネルに、前記抽出手段によって抽出されたアイドルパターンを乗せて送出する送出手段と
を具備したことを特徴とする交換装置。
【請求項２】
ディジタル回線のアイドル時のＢチャネルに特定のビットパターンを乗せて送出する機能を有するＩＳＤＮインタフェースユニットにおいて、
前記ディジタル回線のアイドルチャネルからアイドルパターンを抽出する抽出手段と、
前記ディジタル回線のアイドル時のＢチャネルに、前記抽出手段によって抽出されたアイドルパターンを乗せて送出する送出手段と
を具備したことを特徴とするＩＳＤＮインタフェースユニット。
【発明の詳細な説明】
【０００１】
【発明の属する技術分野】
本発明は、ディジタル回線のアイドル時のＢチャネルに特定のビットパターンを乗せて送出する機能を有するボタン電話装置に好適な交換装置に関する。
【０００２】
【従来の技術】
図３は、従来のボタン電話装置１００であり、ボタン電話装置１００内のディジタルインタフェースにおけるＢチャネルデータの流れを、ＩＳＤＮ（Integrated  Services  Digital   Network ）回線インタフェースユニット部１４０を例にして示している。
【０００３】
このボタン電話装置１００内には、ＰＣＭデータの交換機能や呼処理を管理するシステム制御部１１０と、ＩＳＤＮ網１０５等の各種回線のインタフェースとなるＩＳＤＮ回線インタフェースユニット部１４０とが設けられており、データハイウェイ１２０とＰＣＭハイウェイ１３０とによって接続されている。
【０００４】
ＩＳＤＮ回線インタフェースユニット部１４０には、トーンＲＯＭ部１５０、タイムスイッチ部１６０、ライン／内部バスインタフェース部１７０、及びＣＰＵ部１８０が設けられている。
【０００５】
システム制御部１１０とＩＳＤＮ回線インタフェースユニット部１４０（タイムスイッチ部１６０）との間のＢチャネルデータは、ＰＣＭハイウェイ１３０を通して伝送される。
【０００６】
下りデータを例にすると、Ｂチャネルデータは、ＰＣＭハイウェイ１３０からＩＳＤＮ回線インタフェースユニット部１４０のタイムスイッチ部１６０に入力され、ここでフレーム中の適切なタイムスロットに乗せ変えられて、ライン／内部バスインタフェース部１７０に入力される。このタイムスイッチ部１６０における動作は、システム制御部１１０からの指令に基づいて動作するＣＰＵ部１８０によって制御されている。
【０００７】
ライン／内部バスインタフェース部１７０は、タイムスイッチ部１６０から受け取った下りデータを、適切なフォーマットに乗せ替えてＩＳＤＮ網１０５に出力する。
【０００８】
なお、回線が未使用の時、空きに該当するＢチャネルには、ＩＳＤＮ網１０５を介して安定した通信を行なうために、ＩＳＤＮ網１０５の規格に適応した特定のアイドルパターンが送出される。例えば、米国の場合には「０１１１１１１０」によって表されるパターンが推奨されている。“１”は伝送波形としてはパルスとなり、ＩＳＤＮのように網と端末間で同期（ビット同期）をとる場合、パルスが多いほど精度の高い同期をとることができる。
【０００９】
そのために、ＩＳＤＮ回線インタフェースユニット部１４０には、ハードウェア的にビットパターンを発生してタイムスイッチ部１６０に供給するトーンＲＯＭ部１５０が設けられている。タイムスイッチ部１６０は、回線が未使用の時、トーンＲＯＭ部１５０によって発生されたビットパターンを、Ｂチャネルのアイドルパターンとして送出する。
【００１０】
図４には、着信時のシーケンスを示している。
着信の場合、まず、ＩＳＤＮ網１０５から呼設定の要求を表すＳＥＴ  ＵＰメッセージ（Ａ）がボタン電話装置１００に対して送られてくる。
【００１１】
これに対して、ボタン電話装置１００は、呼設定の処理をＣＡＬＬ  ＰＲＯＣメッセージ（Ｂ）によって応答し、着信可能な状態になればＡＬＥＲＴメッセージ（Ｃ）を送信する。
【００１２】
回線が未使用の時には、前述したように、タイムスイッチ部１６０によりＢチャネルにアイドルパターンが乗せられているが、この時はじめてシステム制御部１１０からＩＳＤＮ回線インタフェースユニット部１４０に対して、Ｂチャネルにデータ（音声）チャネルを接続するように指示が送られる。また、着信応答により、ＣＯＮＮメッセージ（Ｄ）、ＣＯＮＮ  ＡＣＫメッセージ（Ｅ）のやりとりの後、Ｂチャネル上での通話（Ｆ）が可能となる。
【００１３】
図５には、発信時のシーケンスを示している。
発信の場合、ボタン電話装置１００は、ＩＳＤＮ網１０５に対して呼設定の要求を表すＳＥＴ  ＵＰメッセージ（Ｇ）を送信する。
【００１４】
これに対して、ＩＳＤＮ網１０５は、呼設定の処理をＣＡＬＬ  ＰＲＯＣメッセージ（Ｈ）によって応答し、発信可能な状態になればＡＬＥＲＴメッセージ（Ｉ）を送信する。
【００１５】
回線が未使用の時には、前述したように、Ｂチャネルにアイドルパターンが乗せられている。
ボタン電話装置１００は、ＩＳＤＮ網１０５からのＡＬＥＲＴメッセージ（Ｉ）を受信すると、システム制御部１１０からＩＳＤＮ回線インタフェースユニット部１４０に対して、Ｂチャネルにデータ（音声）チャネルを接続するように指示が送られる。
また、発信応答により、ＣＯＮＮメッセージ（Ｊ）、ＣＯＮＮ  ＡＣＫメッセージ（Ｋ）のやりとりの後、Ｂチャネル上での通話（Ｌ）が可能となる。
【００１６】
【発明が解決しようとする課題】
このように従来のボタン電話装置１００では、アイドル時のＢチャネルに、ＩＳＤＮ網１０５の規格に応じた特定のアイドルパターンを乗せており、このためにアイドルパターンを表すビットパターンを発生するトーンＲＯＭ部１５０が設けられていた。すなわち、従来のボタン電話装置１００において用いられるアイドルパターンは、使用対象とするＩＳＤＮ網１０５の規格に対応したただ一つに固定されていた。
【００１７】
例えば、μ−ｌｏｗ（μ法則符号化法）を使用している日本や米国における回線と、Ａ−ｌｏｗ（Ａ法則符号化法）を使用している英国などの他の国での回線があり、ボタン電話装置１００は、何れの回線において使用するかに応じて、特定のアイドルパターンを発生するトーンＲＯＭ部１５０が搭載されていた。従って、従来のボタン電話装置１００は、特定の方式の回線においてのみ使用されることになる。
【００１８】
これに対して、回線の方式に関係なく、何れの回線においてもボタン電話装置１００を使用できるようにすると、使用対象とする様々な方式の回線のそれぞれに応じた特定のアイドルパターンを送出できなければならない。
【００１９】
つまり、ボタン電話装置１００から複数種類のアイドルパターンを発生することができるように、複数のトーンＲＯＭ部を搭載するといった、ハードウェア的な対応をしなければならなかった。この場合、ボタン電話装置１００を構成する部品に要するコストが上昇してしまうといった問題が発生してしまう。
【００２０】
さらに、複数種類のアイドルパターンを発生できたとしても、ボタン電話装置１００に搭載されたトーンＲＯＭ部１５０が発生できないアイドルパターンを利用する回線ではやはり使用することができず、また回線の規格が変更された場合には対応することができず使用することができなくなってしまう。
本発明は前記のような事情を考慮してなされたもので、使用する回線の方式に関係なく使用することが可能な交換装置を提供することを目的とする。
【００２１】
【課題を解決するための手段】
本発明は、ディジタル回線のアイドル時のＢチャネルに特定のビットパターンを乗せて送出する機能を有するボタン電話装置において、前記ディジタル回線のアイドルチャネルからアイドルパターンを抽出する抽出手段と、前記ディジタル回線のアイドル時のＢチャネルに、前記抽出手段によって抽出されたアイドルパターンを乗せて送出する送出手段とを具備したことを特徴とする。
【００２２】
これにより、ディジタル回線（ＩＳＤＮ網）からＢチャネルのアイドルパターンを抽出し、この抽出したアイドルパターンを該当チャネルに乗せることで、アイドルパターンを発生させるための機能（トーンＲＯＭ部）を設けることなく、回線種類に合わせたアイドルパターンを送出することができる。
【００２３】
【発明の実施の形態】
以下、図面を参照して本発明の実施の形態について説明する。図１は本実施形態に係わるボタン電話装置内におけるディジタル回線インタフェースのシステム構成を示すブロック図である。
【００２４】
ボタン電話装置１０は、ＩＳＤＮ網１２の交換機１４と接続されており、この交換機１４を通じてＩＳＤＮ網１２により外部との通信を行なう。
ＩＳＤＮ網１２の交換機１４は、アイドル時のＢチャネルに、ＩＳＤＮ網１２の規格に応じた特定のアイドルパターンを送出している。
【００２５】
本実施形態におけるボタン電話装置１０には、システム制御部２０とＩＳＤＮ回線インタフェースユニット部２６（ＩＳＤＮインタフェースユニット）とが、データハイウェイ２２及びＰＣＭハイウェイ２４とによって接続された構成を含んでいる。
【００２６】
システム制御部２０は、ボタン電話装置１０の全体の制御を司り、ＰＣＭデータの交換機能や呼処理を管理するもので、データハイウェイ２２を介してＩＳＤＮ回線インタフェースユニット部２６内のＣＰＵ部３０を制御し、またＰＣＭハイウェイ２４を介してＩＳＤＮ回線インタフェースユニット部２６との間でＢチャネルを含むデータの送受信を行なう。
【００２７】
ＩＳＤＮ回線インタフェースユニット部２６は、ＩＳＤＮ網１２等の各種回線のインタフェースとなるもので、ＣＰＵ部３０、タイムスイッチ部３２、及びライン／内部バスインタフェース部３４が設けられている。
【００２８】
ＣＰＵ部３０は、システム制御部２０のもとで、タイムスイッチ部３２における動作を制御するもので、ディジタル回線のアイドルチャネルからアイドルパターンを抽出する機能、及びディジタル回線のアイドル時のＢチャネルにアイドルパターンを乗せて送出する機能を実現する。
【００２９】
タイムスイッチ部３２は、ＣＰＵ部３０の制御のもとで、例えば３２個のタイムスロット（１タイムスロットは８ビット）から構成されているフレームの入出力を管理する。タイムスイッチ部３２は、回線のアイドル時のＢチャネルにＩＳＤＮ網１２の規格に応じた特定のアイドルパターンを乗せて送出する。
【００３０】
ライン／内部バスインタフェース部３４は、ＩＳＤＮ網１２と内部バス（タイムスイッチ部３２）との間の整合性をとるためのインタフェースであり、ライン／内部バスインタフェース送信部３４ａとライン／内部バスインタフェース受信部３４ｂがデータのフォーマット交換等を行なう。
【００３１】
図２は、図１中に示すタイムスイッチ部３２の詳細な構成を示すブロック図である。
図２に示すように、タイムスイッチ部３２には、ライン／内部バスインタフェース部３４を介して入力されるデータを格納する入力バッファ３２ａと、ライン／内部バスインタフェース部３４を介してＩＳＤＮ網１２に出力すべきデータを格納するための出力バッファ３２ｂが設けられている。
【００３２】
次に、本実施形態における動作について説明する。
なお、図１に示すボタン電話装置の着信シーケンス及び着信シーケンスの動作は、前述の説明で用いた図４及び図５に示すようにして行われるものとする。
【００３３】
まず、ＩＳＤＮ網１２から受信された入力データストリーム４０が、ライン／内部バスインタフェース部３４のライン／内部バスインタフェース受信部３４ｂを介してタイムスイッチ部３２に入力される。
【００３４】
ＩＳＤＮ網は、複数のＢチャネル（例えばＢ１，Ｂ２の２つのチャネル）と、Ｄチャネル（データ）とが多重化されており、ＣＰＵ部３０は、タイムスイッチ部３２に入力されたデータストリーム４０のどこがアイドルチャネルであるかを、Ｄチャネルの内容をもとにして、ライン／内部バスインタフェース部３４またはシステム制御部２０を通して、複数のＢチャネル中から認識することができる。
【００３５】
ＣＰＵ部３０は、タイムスイッチ部３２を使用して、入力データストリーム４０から抽出したアイドルチャネルのアイドルパターンを、ＩＳＤＮ網１２への出力データストリームの中のアイドルＢチャネルに乗せて折り返して送出する。
【００３６】
ここで、図２のタイムスイッチ部３２を中心に詳細を示す図を用いて、Ｂ２チャネルにアイドルパターンを乗せる仕組みについて説明する。
ライン／内部バスインタフェース受信部３４ｂにより受信したデータは、入力データストリーム４０上にある。
【００３７】
ＣＰＵ部３０は、入力データストリーム４０上のＢ２チャネルの受信データ５０がアイドルパターンを表すビットデータであることを認識する。また、ＣＰＵ部３０は、Ｂ２チャネルの受信データ５０から抽出したアイドルパターンを、出力データストリーム４１においてＢ２チャネルの送信データとして送信すべきことを認識する。
【００３８】
ＣＰＵ部３０は、タイムスイッチ部３２を制御して、入力バッファ３２ａに格納されたＢ２チャネルのビットパターンを、出力バッファ３２ｂのＢ２チャネルに乗せる。
【００３９】
出力バッファ３２ｂに格納されたデータは、タイムスイッチ部３２から出力データストリーム４１として送出され、そのＢ２チャネルに入力データストリーム４０から抽出したアイドルパターン５２が乗せられており、ライン／内部バスインタフェース送信部３４ａを介してＩＳＤＮ網１２に送出される。
【００４０】
このようにして、ボタン電話装置１０のＩＳＤＮ回線インタフェースユニット部２６では、ＩＳＤＮ網１２（交換機１４）が発生している回線の方式（規格）に応じたＢチャネルのアイドルパターンを抽出して、出力データストリーム４１中のアイドルＢチャネルに乗せて送り返して送出することができる。
【００４１】
従って、ボタン電話装置１０を使用する回線の方式（規格）に、ハードウェア的に対応すること無く、何ら制約を受けずに使用することができるため、ボタン電話装置１０の汎用性が向上されることになる。ユーザは、ＩＳＤＮ網１２の方式（アイドルパターンの属性）を気にすることなく、ボタン電話装置１０を使用することができる。
【００４２】
【発明の効果】
以上詳述したように本発明によれば、Ｂチャネルのアイドルパターンを回線から抽出して、このアイドルパターンを出力データストリーム中のアイドルパターンを送出すべきＢチャネルに乗せて折り返して送出できる構成とすることにより、回線種別に合わせたアイドルパターンを送出することができるので、使用する回線の方式に関係なく使用することが可能となるものである。
【図面の簡単な説明】
【図１】本実施形態に係わるボタン電話装置内におけるディジタル回線インタフェースのシステム構成を示すブロック図。
【図２】図１中に示すタイムスイッチ部３２の動作を説明するための詳細な構成を示すブロック図。
【図３】従来のボタン電話装置１００の構成を示す図。
【図４】ＩＳＤＮ網を使用した着信時のシーケンスを示す図。
【図５】ＩＳＤＮ網を使用した発信時のシーケンスを示す図。
【符号の説明】
１０…ボタン電話装置
１２…ＩＳＤＮ網
１４…交換機
２０…システム制御部
２２…データハイウェイ
２４…ＰＣＭハイウェイ
２６…ＩＳＤＮ網インタフェースユニット部
３０…ＣＰＵ部
３２…タイムスイッチ部
３２ａ…入力バッファ
３２ｂ…出力バッファ
３２ｃ…コネクションメモリ
３４…ライン／内部バスインタフェース部
３４ａ…ライン／内部バスインタフェース送信部
３４ｂ…ライン／内部バスインタフェース受信部
【図１】
0003688900.tif 000002
【図２】
0003688900.tif 000003
【図３】
0003688900.tif 000004
【図４】
0003688900.tif 000005
【図５】
0003688900.tif 000006